(57)【要約】【課題】スポンサー、放送局と視聴者の相反する要望について、双方にとって納得性がある視聴形態を提供する。【解決手段】番組のＣＭの位置を検出して記録する番組構成抽出部と、前記番組におけるＣＭの再生頻度を監視して、番組視聴情報を生成するＣＭ再生監視部と、前記ＣＭ再生監視部で監視したＣＭ再生頻度に基づいて、前記番組の本編とＣＭの再生順序を決めて番組再生パターンを生成する番組編成部と、前記番組編成部で編成した複数の番組再生パターンを表示する表示部と、前記番組再生パターンから、選択した任意の番組再生パターンを再生する再生部を備える。【選択図】図２
2007266677.tif 000002
【特許請求の範囲】
【請求項１】
ＣＭと前記ＣＭによって分割された本編を有する番組を記録媒体へ録画し、前記記録媒体に録画した番組を再生する録画再生装置であって、
前記録画する番組に含まれる本編の開始位置および終了位置並びにＣＭの開始位置および終了位置を検出して前記記録媒体へ記録する番組構成抽出部と、
前記番組に含まれるＣＭの開始位置から終了位置までの再生が所定の条件を満足するかどうかを監視して、前記所定の条件を満足すれば、前記再生したＣＭを視聴済みとする情報を前記記録媒体へ記録するＣＭ再生監視部と、
前記ＣＭ再生監視部により記録した、前記再生したＣＭの視聴済みの情報に基づいて、前記記録媒体に録画した番組に含まれる本編とＣＭの再生順序を並び替えたプレイリストを生成する番組編成部と、
前記番組編成部で生成したプレイリストを表示するための信号を出力する表示部と、
前記生成したプレイリストに基づく再生順序に従って本編とＣＭを再生する再生部を備えることを特徴とする録画再生装置。
【請求項２】
前記番組編成部は、前記ＣＭ再生監視部により記録した、前記再生したＣＭの視聴済みの情報に基づいて、前記記録媒体に録画した番組に含まれる本編とＣＭの再生順序を並び替えたプレイリストを複数生成し、
前記表示部は、前記番組編成部で生成した複数のプレイリストを表示するための信号を出力し、
前記再生部は、生成した複数のプレイリストのうち、選択されたプレイリストを再生するように構成したことを特徴とする請求項１に記載の録画再生装置。
【請求項３】
前記番組編成部は、前記録画した番組に含まれる全てのＣＭが未視聴である場合、前記番組に含まれる本編よりも前に前記全てのＣＭが再生されるように再生順序を並び替えたプレイリストを生成することを特徴とする請求項１記載の録画再生装置。
【請求項４】
前記番組編成部は、前記録画した番組に含まれる一部のＣＭが視聴済みである場合、前記録画した番組に含まれる本編と、前記録画した番組に含まれるＣＭのうち前記視聴済みとなったＣＭを除いたＣＭのみを再生の対象とし、前記番組に含まれる本編よりも前に前記再生の対象となるＣＭが再生されるように再生順序を並び替えたプレイリストを生成することを特徴とする請求項１記載の録画再生装置。
【請求項５】
前記番組編成部は、前記録画した番組に含まれる全てのＣＭが視聴済みである場合、前記番組に含まれる本編のみを再生対象としたプレイリストを生成することを特徴とする請求項１記載の録画再生装置。
【請求項６】
ＣＭと前記ＣＭによって分割された本編を有する番組を記録媒体へ録画し、前記記録媒体に録画した番組を再生する録画再生方法であって、
前記録画する番組に含まれる本編の開始位置および終了位置並びにＣＭの開始位置および終了位置を検出して前記記録媒体へ記録する番組構成抽出ステップと、
前記番組に含まれるＣＭの開始位置から終了位置までの再生が所定の条件を満足するかどうかを監視して、前記所定の条件を満足すれば、前記再生したＣＭを視聴済みとする情報を前記記録媒体へ記録するＣＭ再生監視ステップと、
前記ＣＭ再生監視ステップにより記録した、前記再生したＣＭの視聴済みの情報に基づいて、前記記録媒体に録画した番組に含まれる本編とＣＭの再生順序を並び替えたプレイリストを生成する番組編成ステップと、
前記番組編成ステップで生成したプレイリストを表示するための信号を出力する表示ステップと、
前記生成したプレイリストに基づく再生順序に従って本編とＣＭを再生する再生ステップを備えることを特徴とする録画再生方法。
【請求項７】
ＣＭと前記ＣＭによって分割された本編を有する番組を記録媒体へ録画し、前記記録媒体に録画した番組を再生する録画再生プログラムであって、
前記録画する番組に含まれる本編の開始位置および終了位置並びにＣＭの開始位置および終了位置を検出して前記記録媒体へ記録する番組構成抽出ステップと、
前記番組に含まれるＣＭの開始位置から終了位置までの再生が所定の条件を満足するかどうかを監視して、前記所定の条件を満足すれば、前記再生したＣＭを視聴済みとする情報を前記記録媒体へ記録するＣＭ再生監視ステップと、
前記ＣＭ再生監視ステップにより記録した、前記再生したＣＭの視聴済みの情報に基づいて、前記記録媒体に録画した番組に含まれる本編とＣＭの再生順序を並び替えたプレイリストを生成する番組編成ステップと、
前記番組編成ステップで生成したプレイリストを表示するための信号を出力する表示ステップと、
前記生成したプレイリストに基づく再生順序に従って本編とＣＭを再生する再生ステップを備えることを特徴とする録画再生プログラム。
【請求項８】
ＣＭと前記ＣＭによって分割された本編を有する番組を記録媒体へ録画し、前記記録媒体に録画した番組を再生する録画再生プログラムを格納するコンピュータ読み取り可能な記録媒体であって、
前記録画する番組に含まれる本編の開始位置および終了位置並びにＣＭの開始位置および終了位置を検出して前記記録媒体へ記録する番組構成抽出ステップと、
前記番組に含まれるＣＭの開始位置から終了位置までの再生が所定の条件を満足するかどうかを監視して、前記所定の条件を満足すれば、前記再生したＣＭを視聴済みとする情報を前記記録媒体へ記録するＣＭ再生監視ステップと、
前記ＣＭ再生監視ステップにより記録した、前記再生したＣＭの視聴済みの情報に基づいて、前記記録媒体に録画した番組に含まれる本編とＣＭの再生順序を並び替えたプレイリストを生成する番組編成ステップと、
前記番組編成ステップで生成したプレイリストを表示するための信号を出力する表示ステップと、
前記生成したプレイリストに基づく再生順序に従って本編とＣＭを再生する再生ステップを備えることを特徴とする録画再生プログラムを格納するコンピュータ読み取り可能な記録媒体。
【発明の詳細な説明】
【技術分野】
【０００１】
本発明は、放送される番組を録画再生する録画再生装置、録画再生方法に関するものであり、特に録画番組を後から視聴するタイムシフト再生時において、ＣＭを含む録画番組を視聴する視聴者、この番組を提供するスポンサーの双方にとって納得性の高い視聴形態を提供する番組の録画再生装置および録画再生方法に関する。
【背景技術】
【０００２】
ハードディスク付ＤＶＤレコーダなど、大容量記録装置付の録画再生装置が普及するにつれ、放送番組を一旦ＤＶＤやハードディスクなどの記録媒体に録画し、後から視聴するタイムシフト再生という視聴形態が普及しつつある。録画番組は番組本編にスポンサーのコマーシャルメッセージ（以下、ＣＭという）が挿入されているが、視聴者にとっては時間の短縮や本編視聴中に本編とは全く関係のないＣＭを見せられて興ざめしたくないので、タイムシフト再生時には番組のＣＭ区間に入るとリモコンでスキップ操作や早送りを行うなどしてＣＭをスキップして視聴することが増えてきた。例えば、特許文献１によると、こうした視聴形態にあわせてＣＭスキップの手間を省くため、対価を払うことで放送時にあらかじめＣＭをスキップして再生するプレイリストを提供している。
【特許文献１】特開２００２−９４９６７号公報
【発明の開示】
【発明が解決しようとする課題】
【０００３】
ところで、タイムシフト再生という視聴形態が増え、録画番組に含まれるＣＭが視聴される度合いが減るということは、番組を提供するスポンサーにとっては商品の売れ行き低下が懸念されることになる。これは、番組で放送されるＣＭの広告としての価値が下がるということである。放送局にとってはＣＭの広告価値の低下による広告収入の減少が懸念されるようになる。したがって、スポンサーと放送局は視聴者に番組で放送されるＣＭを見てほしいのだが、視聴者にとっては視聴時間が短縮できることや、本編視聴中に番組の雰囲気を壊すようなＣＭは見たくないのでタイムシフト再生の機能を用いてＣＭをスキップしたいという要望がある。そこで、番組を提供する側（つまりスポンサー、放送局）と番組を視聴する側（つまり視聴者）の相反する要望について、双方にとって納得性がある視聴形態を提供することが課題となっている。
【課題を解決するための手段】
【０００４】
前記従来の課題を解決するために、本発明の記録再生装置は、ＣＭと前記ＣＭによって分割された本編を有する番組を記録媒体へ録画し、前記記録媒体に録画した番組を再生する録画再生装置であって、前記録画する番組に含まれる本編の開始位置および終了位置並びにＣＭの開始位置および終了位置を検出して前記記録媒体へ記録する番組構成抽出部と、前記番組に含まれるＣＭの開始位置から終了位置までの再生が所定の条件を満足するかどうかを監視して、前記所定の条件を満足すれば、前記再生したＣＭを視聴済みとする情報を前記記録媒体へ記録するＣＭ再生監視部と、前記ＣＭ再生監視部により記録した、前記再生したＣＭの視聴済みの情報に基づいて、前記記録媒体に録画した番組に含まれる本編とＣＭの再生順序を並び替えたプレイリストを生成する番組編成部と、前記番組編成部で生成したプレイリストを表示するための信号を出力する表示部と、前記生成したプレイリストに基づく再生順序に従って本編とＣＭを再生する再生部を備えることを特徴とする。
【０００５】
また、前記番組編成部は、前記ＣＭ再生監視部により記録した、前記再生したＣＭの視聴済みの情報に基づいて、前記記録媒体に録画した番組に含まれる本編とＣＭの再生順序を並び替えたプレイリストを複数生成し、前記表示部は、前記番組編成部で生成した複数のプレイリストを表示するための信号を出力し、前記再生部は、生成した複数のプレイリストのうち、選択されたプレイリストを再生するように構成したことを特徴とする。
【０００６】
また、前記番組編成部は、前記録画した番組に含まれる全てのＣＭが未視聴である場合、前記番組に含まれる本編よりも前に前記全てのＣＭが再生されるように再生順序を並び替えたプレイリストを生成することを特徴とする。
【０００７】
また、前記番組編成部は、前記録画した番組に含まれる一部のＣＭが視聴済みである場合、前記録画した番組に含まれる本編と、前記録画した番組に含まれるＣＭのうち前記視聴済みとなったＣＭを除いたＣＭのみを再生の対象とし、前記番組に含まれる本編よりも前に前記再生の対象となるＣＭが再生されるように再生順序を並び替えたプレイリストを生成することを特徴とする。
【０００８】
また、前記番組編成部は、前記録画した番組に含まれる全てのＣＭが視聴済みである場合、前記番組に含まれる本編のみを再生対象としたプレイリストを生成することを特徴とする。
【０００９】
また、本発明の録画再生方法は、ＣＭと前記ＣＭによって分割された本編を有する番組を記録媒体へ録画し、前記記録媒体に録画した番組を再生する録画再生方法であって、前記録画する番組に含まれる本編の開始位置および終了位置並びにＣＭの開始位置および終了位置を検出して前記記録媒体へ記録する番組構成抽出ステップと、前記番組に含まれるＣＭの開始位置から終了位置までの再生が所定の条件を満足するかどうかを監視して、前記所定の条件を満足すれば、前記再生したＣＭを視聴済みとする情報を前記記録媒体へ記録するＣＭ再生監視ステップと、前記ＣＭ再生監視ステップにより記録した、前記再生したＣＭの視聴済みの情報に基づいて、前記記録媒体に録画した番組に含まれる本編とＣＭの再生順序を並び替えたプレイリストを生成する番組編成ステップと、前記番組編成ステップで生成したプレイリストを表示するための信号を出力する表示ステップと、前記生成したプレイリストに基づく再生順序に従って本編とＣＭを再生する再生ステップを備えることを特徴とする。
【００１０】
また、本発明の録画再生プログラムは、ＣＭと前記ＣＭによって分割された本編を有する番組を記録媒体へ録画し、前記記録媒体に録画した番組を再生する録画再生プログラムであって、前記録画する番組に含まれる本編の開始位置および終了位置並びにＣＭの開始位置および終了位置を検出して前記記録媒体へ記録する番組構成抽出ステップと、前記番組に含まれるＣＭの開始位置から終了位置までの再生が所定の条件を満足するかどうかを監視して、前記所定の条件を満足すれば、前記再生したＣＭを視聴済みとする情報を前記記録媒体へ記録するＣＭ再生監視ステップと、前記ＣＭ再生監視ステップにより記録した、前記再生したＣＭの視聴済みの情報に基づいて、前記記録媒体に録画した番組に含まれる本編とＣＭの再生順序を並び替えたプレイリストを生成する番組編成ステップと、前記番組編成ステップで生成したプレイリストを表示するための信号を出力する表示ステップと、前記生成したプレイリストに基づく再生順序に従って本編とＣＭを再生する再生ステップを備えることを特徴とする。
【００１１】
また、本発明の録画再生プログラムを格納するコンピュータ読み取り可能な記録媒体は、ＣＭと前記ＣＭによって分割された本編を有する番組を記録媒体へ録画し、前記記録媒体に録画した番組を再生する録画再生プログラムを格納するコンピュータ読み取り可能な記録媒体であって、前記録画する番組に含まれる本編の開始位置および終了位置並びにＣＭの開始位置および終了位置を検出して前記記録媒体へ記録する番組構成抽出ステップと、前記番組に含まれるＣＭの開始位置から終了位置までの再生が所定の条件を満足するかどうかを監視して、前記所定の条件を満足すれば、前記再生したＣＭを視聴済みとする情報を前記記録媒体へ記録するＣＭ再生監視ステップと、前記ＣＭ再生監視ステップにより記録した、前記再生したＣＭの視聴済みの情報に基づいて、前記記録媒体に録画した番組に含まれる本編とＣＭの再生順序を並び替えたプレイリストを生成する番組編成ステップと、前記番組編成ステップで生成したプレイリストを表示するための信号を出力する表示ステップと、前記生成したプレイリストに基づく再生順序に従って本編とＣＭを再生する再生ステップを備えることを特徴とする。
【発明の効果】
【００１２】
本発明の録画再生装置によれば、ＣＭと前記ＣＭによって分割された本編を有する番組を記録媒体へ録画し、前記記録媒体に録画した番組を再生する録画再生装置であって、前記録画する番組に含まれる本編の開始位置および終了位置並びにＣＭの開始位置および終了位置を検出して前記記録媒体へ記録する番組構成抽出部と、前記番組に含まれるＣＭの開始位置から終了位置までの再生が所定の条件を満足するかどうかを監視して、前記所定の条件を満足すれば、前記再生したＣＭを視聴済みとする情報を前記記録媒体へ記録するＣＭ再生監視部と、前記ＣＭ再生監視部により記録した、前記再生したＣＭの視聴済みの情報に基づいて、前記記録媒体に録画した番組に含まれる本編とＣＭの再生順序を並び替えたプレイリストを生成する番組編成部と、前記番組編成部で生成したプレイリストを表示するための信号を出力する表示部と、前記生成したプレイリストに基づく再生順序に従って本編とＣＭを再生する再生部を備えるので、録画番組に含まれるＣＭを一定条件で視聴することによって、視聴したＣＭを再生対象から除くようなプレイリストを動的に生成するため、ＣＭを視聴して欲しい立場であるスポンサー、放送局といった番組を提供する側の納得性が上がるとともに、番組を視聴する側である視聴者からすれば、動的に生成したプレイリストを用いて再生をすれば、一旦視聴したＣＭを再び視聴することなく再生できるので、スキップ操作の手間を減らすことができる。つまり番組を提供する側（つまりスポンサー、放送局）と番組を視聴する側（つまり視聴者）の相反する要望について、双方にとって納得性がある視聴形態を提供する録画再生装置を得ることが可能となる。
【００１３】
また、前記番組編成部は、前記ＣＭ再生監視部により記録した、前記再生したＣＭの視聴済みの情報に基づいて、前記記録媒体に録画した番組に含まれる本編とＣＭの再生順序を並び替えたプレイリストを複数生成し、前記表示部は、前記番組編成部で生成した複数のプレイリストを表示するための信号を出力し、前記再生部は、生成した複数のプレイリストのうち、選択されたプレイリストを再生するように構成したので、視聴者は複数のプレイリストの中から好みのプレイリストを選択し、再生ができるようになる。
【００１４】
また、前記番組編成部は、前記録画した番組に含まれる全てのＣＭが未視聴である場合、前記番組に含まれる本編よりも前に前記全てのＣＭが再生されるように再生順序を並び替えたプレイリストを生成するので、視聴者からすれば、全てのＣＭを視聴した後に本編のみが視聴できるようになるため、本編の合間にＣＭを視聴させられることにより興ざめするといったことがなくなる。
【００１５】
また、前記番組編成部は、前記録画した番組に含まれる一部のＣＭが視聴済みである場合、前記録画した番組に含まれる本編と、前記録画した番組に含まれるＣＭのうち前記視聴済みとなったＣＭを除いたＣＭのみを再生の対象とし、前記番組に含まれる本編よりも前に前記再生の対象となるＣＭが再生されるように再生順序を並び替えたプレイリストを生成するので、視聴者からすれば、過去の視聴において一旦視聴したＣＭを再び視聴することがなくなるため、録画番組に含まれる本編をより効率よく視聴することが可能となる。
【００１６】
また、前記番組編成部は、前記録画した番組に含まれる全てのＣＭが視聴済みである場合、前記番組に含まれる本編のみを再生対象としたプレイリストを生成するので、視聴者からすれば、過去の視聴において一旦視聴した全てのＣＭを再び視聴することがなくなるため、録画番組に含まれる本編のみを視聴することが可能となる。
【発明を実施するための最良の形態】
【００１７】
以下、本発明の実施形態に係る録画再生装置について説明する。なお、本実施の形態では放送波からの信号に基づき、ＣＭを含む番組を記録媒体に録画する機能、記録媒体に録画された番組を再生する機能を有する録画再生装置を例に説明をするが、既にＣＭを含む録画番組を録画した記録媒体があるのであれば、この記録媒体を用いて再生する機能を有する再生装置であっても適用可能である。
【００１８】
まず、本発明の実施形態に係る録画再生装置の使用形態について説明する。図１は本実施の形態の録画再生装置を用いて構成したホームシアターシステムの一例を示す模式図である。
図１に示すホームシアターシステムは、表示装置の一例であるテレビ８０１、録画再生装置８０２、リモコン８０３を備えるものであり、視聴者の使用に供される。
視聴者による使用とは、テレビ８０１、リモコン８０３（または録画再生装置８０２に設けた入力ボタンなどの入力手段（図示せず））を使用して録画再生装置８０２に録画された番組、または、記録媒体８０４に録画された番組についてプレイリストの表示、選択、再生を実行することである。テレビ８０１は、番組再生用のプレイリストを表示、選択させるため、プレイリスト選択画面のＧＵＩを表示する。リモコン８０３は、ＧＵＩを呼び出すメニューキー、ＧＵＩに表示されたプレイリストを選択する矢印キー、選択したプレイリストの再生を開始する決定キー、メニューから戻る戻りキーを備える。
【００１９】
次に、本実施の形態の録画再生装置８０２の構成について説明する。
図２は図１に示した録画再生装置８０２の要部を示す図である。
図に示す録画再生装置は、チューナ９０１、番組構成抽出部９０２、番組編成部９０３、表示部９０４、再生部９０５、ＣＭ再生監視部９０６、ＤＶＤ（Ｄｉｇｉｔａｌ  Ｖｅｒｓａｔｉｌｅ  Ｄｉｓｃ）／ＢＤ（Ｂｌｕ−ｒａｙ  Ｄｉｓｃ）ドライブ９０８、又は、ハードディスクドライブ９０９、ＭＰＥＧデコーダ９１０、信号合成部９１２から構成される。
【００２０】
以下、録画再生装置８０２の動作（この例では予約録画を例に説明をする）について説明する。
【００２１】
チューナ９０１は放送波（例えばデジタル放送波）を受信し、指定された受信チャンネルに基づいて取り出した番組を構成するストリームデータ（例えばビデオストリーム、オーディオストリームを含む）をインターリーブ多重化することにより生成されるＡＶクリップを構成するＡＶパケットを番組構成抽出部９０２に送出する。
番組構成抽出部９０２は予約録画時に番組名や受信チャンネル等の番組情報を作成するとともに、チューナ９０１から送られてきたＡＶパケットを指定した記録媒体（例えばＤＶＤ、ＢＤなどの光記録媒体またはＨＤなどの磁気記録媒体）へ記録するために対応するドライブ装置（例えばＤＶＤ／ＢＤドライブ９０８、又は、ハードディスクドライブ９０９）に送出するとともに、チューナ９０１より送られてきたＡＶパケットを分析することにより、ＡＶクリップ情報、番組情報、番組情報に含まれる番組構成テーブルを作成する。
作成したＡＶクリップ情報、番組情報、番組情報に含まれる番組構成テーブルは対応するドライブ装置に送られ上述のＡＶパケットを含むＡＶクリップとともに記録媒体に記録される。
【００２２】
ドライブ装置であるＤＶＤ／ＢＤドライブ９０８、ハードディスクドライブ９０９は、録画時には受信した放送波のＡＶパケットを対応する記録媒体に保存し、再生時には記録メディアから録画したＡＶパケットを読み出してＭＰＥＧデコーダ９１０へ転送する。
ＭＰＥＧデコーダ９１０は記録媒体に記録された圧縮符号化されたＡＶパケットをドライブ装置から受け取り、映像信号・音声信号へと復号する。
信号合成部９１２はＭＰＥＧデコーダ９１０が複合した映像や表示部が作成したメニュー画面を合成してテレビ８０１の表示画面へ出力する。
【００２３】
以下、番組構成抽出部９０２がどのようにＡＶクリップ情報、番組情報、番組情報に含まれる番組構成テーブルを作成するかを説明する。
【００２４】
図３は録画番組の構造を表す図である。１つの録画番組１０１は１０２に示すようにＣＭと本編から構成されている。ＣＭを構成するＡＶパケットにはＣＭであることを識別するための識別子を有しておりこの情報に基づき、ＣＭと本編を区別することが可能である。
【００２５】
１０２のＣＭと本編は、１０３のようにそれぞれプレイアイテム（ＰＩ）と一対一に対応している（図３に示す例では、ＣＭ１とＰＩ１、本編１とＰＩ２、ＣＭ２とＰＩ３、．．．、本編３とＰＩ６、ＣＭ４とＰＩ７）。プレイアイテム（ＰＩ）１０３とは、録画番組の部分的な再生区間を示しており、この例ではプレイアイテム１０３は番組を構成する本編（本編１、本編２、本編３）、またはＣＭ（ＣＭ１、ＣＭ２、ＣＭ３、ＣＭ４）の再生区間にそれぞれ対応する。また、プレイアイテム１０３はＡＶクリップ上の部分再生区間の開始時刻であるＩＮ点と終了時刻であるＯＵＴ点を保持している（この例では、ＰＩ１はＣＭ１のＩＮ点とＯＵＴ点を保持、ＰＩ２は本編１のＩＮ点とＯＵＴ点を保持、．．．、ＰＩ６は本編３のＩＮ点とＯＵＴ点を保持、ＰＩ７はＣＭ４のＩＮ点とＯＵＴ点を保持している）。
【００２６】
プレイアイテム１０３のそれぞれが保持するＩＮ点とＯＵＴ点の時刻は、時刻−アドレス変換テーブル（またはＡＶクリップ情報ともいう）１０４を参照することによってＡＶクリップ１０５を構成するＴＳパケット（Ｔｒａｎｓｐｏｒｔ  ｐａｃｋｅｔ）を特定するアドレスへと変換することができる。ここで、ＡＶクリップ情報１０４とＡＶクリップ１０５について説明するが、まずＡＶクリップ１０５の構成について図４を使って説明する。
【００２７】
図４はＡＶクリップの構造を表した図である。放送波により本実施の形態の録画再生装置へ送られるＡＶクリップ１０５は、図４の符号１０５に示すようにビデオストリーム２０１及びオーディオストリーム２０７をインターリーブ多重化したＭＰＥＧ２−ＴＳ形式の動画ストリームである。
【００２８】
ビデオストリーム２０１とは圧縮符号化されたピクチャーデータ列であり、ピクチャーデータは１枚の画像に対応するデータである。
オーディオストリーム２０７とは圧縮符号化されたオーディオフレーム列である。
ピクチャーデータ及びオーディオフレームはその再生時刻を示すＰＴＳ（Ｐｒｅｓｅｎｔａｔｉｏｎ  Ｔｉｍｅ  Ｓｔａｍｐ）情報を含むＰＥＳパケット２０２、２０６に変換される。
変換されたＰＥＳパケット２０２、２０６は、更に固定長のＴＳパケット（Ｔｒａｎｓｐｏｒｔ  ｐａｃｋｅｔ）２０３、２０５に変換される。このＴＳパケット２０３、２０５がインターリーブ多重化されることにより、ＡＶクリップ１０５となる。
インターリーブ多重化されたＴＳパケットには番号が連続して付される。この連続して付された番号をパケット番号といい、ＡＶクリップ情報１０４に格納されるアドレス情報はパケット番号で表現される。このように録画再生装置８０２にて受信するＡＶクリップを構成するＡＶパケットにはそれぞれ番号が付されており、これが番組構成抽出部９０２を経由して記録媒体に記録されることになる。
【００２９】
次に、ＡＶクリップ情報１０４について図５〜図６を使って説明する。
図５はＡＶクリップ情報１０４の構成を説明するための図である。
ＡＶクリップ情報１０４とは、ＡＶクリップ１０５を構成する所定のＴＳパケットの再生時刻とこのＴＳパケットのアドレスを対応付ける時刻−アドレス変換テーブルである。時刻−アドレス変換テーブルにはＡＶクリップ上のある時刻と、その時刻に表示すべきピクチャーデータを格納する先頭ＴＳパケットのアドレス（パケット番号）が格納されており、ある時刻に対してＡＶクリップを構成するＴＳパケットのうち、どのＴＳパケットからデコードを始めればよいかを示している。
ここでいう時刻とはＡＶクリップを構成するＴＳパケットのうち最初の番号のＴＳパケット（図４に示すパケット番号が「０」のＴＳパケット（Ｖパケット））を再生する時点を基準としたときの時間差を示す情報である。録画再生装置は例えば一定時間が経過する毎に数値が変化するカウンタ（図示せず）を具備しており、最初の番号のＴＳパケットを録画／再生するときにカウンタを動作させ、カウンタの計数値を時刻に対応づけるものとする。
【００３０】
図６は、ＡＶクリップ情報のより具体的な一例を説明するための図である。図において、時刻１０４ａに格納するのは各ＰＩの再生を開始する時点における上述のカウンタによる計数値を示す情報であり、アドレス１０４ｂに格納する情報は時刻１０４ａで再生すべき、ピクチャーデータを格納する先頭ＴＳパケットのアドレス（パケット番号）を示すものである。
なお、時刻１０４ａにおいて最後の時刻（図６において最右端に格納される時刻）は最後の番号のＰＩのＯＵＴ点（録画番組の終了時刻）を示す。
また、時刻１０４ａにおいて、最初の時刻、最後の時刻以外の時刻は所定の番号のＰＩのＩＮ点を示す時刻であり、かつこの番号の１つ手前のＰＩのＯＵＴ点を示す時刻でもある。
また、アドレスが「０」に対応する時刻は「１８００００」に設定されているが、この時刻は基準値に対応するものであり、違う値であっても良い。当然ではあるがこの基準値の値を変えると後に続く時刻の値もこの変化に従って変わることは言うまでもない。
【００３１】
図６に示す例では時刻「１８００００」を指定したとすると、時刻−アドレス変換テーブルを参照し、該当するアドレス（パケット番号）が「０」であるとの情報を得た後、ＡＶクリップ１０５を構成するＴＳパケットのうちアドレス（パケット番号）が「０」であるＴＳパケットから順次ＭＰＥＧデコーダ９１０へ送りデコードを開始するようにする。
このように構成することにより、指定したＰＩからの再生が可能となる。また時刻「１８０００」を開始時刻、「２７００００」を終了時刻として指定し、再生をした場合、該当するパケット番号がそれぞれ「０」、「８」を得た後、終了させるべきＴＳパケットとして、「８」から１を減算した「７」を算出し、「０」〜「７」までの番号のＴＳパケットを順次ＭＰＥＧデコーダ９１０へ送りデコードを開始するようにする。このようにすることにより指定したＰＩのみを再生することも可能となる。
【００３２】
このように構成することにより、ＡＶクリップのＴＳパケットをＤＶＤ／ＢＤドライブ９０８、又は、ハードディスクドライブ９０９といったドライブ装置から読み出してＭＰＥＧデコーダ９１０に送出することで、所定のＰＩからの再生や所定のＰＩのＩＮ点からＯＵＴ点までの再生区間のみを再生することが可能となる。
【００３３】
先頭のプレイアイテム（ＰＩ１）のＩＮ点は番組開始点であり、最後のプレイアイテム（ＰＩ７）のＯＵＴ点は番組の終了点となっており、その間にある本編の再生区間とＣＭの再生区間に対応して本編の再生区間を示すプレイアイテムとＣＭの再生区間を示すプレイアイテムを番組録画時の順番で並べたものが、図３における番組を構成するプレイアイテム１０３である。
【００３４】
次に、予約録画時に番組構成抽出部９０２が作成する番組情報について図７〜図８を使って説明する。
図７は録画時に作成される番組情報であり、録画番組の番組名７０１、録画日時７０２、録画チャンネル７０３と、番組構成テーブル７０４から構成されている。番組構成テーブル７０４の内容について、図８を使って説明する。
図８は録画時に番組構成抽出部９０２が作成する録画番組の番組情報のうち、番組構成テーブルにおけるＣＭ／本編フラグ、視聴フラグを説明する図である。説明を簡略にするため、図７における「ＡＶクリップ名、ＩＮ点、ＯＵＴ点」の情報は削除している。番組構成テーブル７０４はプレイアイテム毎に本編の再生区間かＣＭの再生区間かを示すフラグ情報（ＣＭ／本編フラグ）７０４ｂと、対応するＰＩが未視聴なのか既に視聴済みかというフラグ情報（視聴フラグ）７０４ｃを保持している。
この視聴フラグ７０４ｃは、後述するＰＩ再生処理に含まれるＣＭ再生監視機能により、番組再生時においてＣＭの再生区間を示すプレイアイテムのＩＮ点からＯＵＴ点まで通常再生された場合に視聴済に更新される。
【００３５】
次に、番組構成抽出部９０２がどのようにして番組構成テーブル７０４を作成し、ＡＶクリップ１０５とＡＶクリップ情報１０４を生成するかについて図９〜図１０を使って説明する。
図９は録画時の番組情報の生成処理のフローを表している。
【００３６】
録画を開始すると、ステップＳ１００で録画する番組に対応する番組情報を新規に作成し、これから録画しようとする番組の番組名、チャンネル、録画開始日時を設定する。この時、プレイアイテムの個数はまだ０個である。
次に、ステップＳ１０１において、放送波として配信されたＡＶパケットを受信する。
ステップＳ１０２で新しいＰＩを作成し、ＩＮ点を録画時刻（または現在時刻）とし、視聴フラグは未視聴に設定して番組情報にＰＩを追加する。
ステップＳ１０３において、受信したＡＶパケットにＣＭ識別情報が入っているかどうかを判別する。ＣＭ識別情報が入っていれば、ステップ１０５でＰＩのＣＭ／本編フラグをＣＭに設定してステップＳ１０６に移る。ステップＳ１０３においてＣＭ識別情報が入っていなければ、ステップＳ１０４でＰＩのＣＭ／本編フラグを本編に設定してステップＳ１０６に移る。
【００３７】
次に、ステップＳ１０６においてＡＶパケットを記録媒体に書き込む。この具体的な処理については後述する。
【００３８】
次に、ステップＳ１０７において録画終了かどうかの判定を行う。録画終了の判定は、現在時刻が録画予約の終了時刻に到達したかどうかで判定する。録画予約の終了時刻に到達していれば、ステップＳ１１１に進みプレイリストのＯＵＴ点と番組情報の録画日時の録画終了時刻に現在の時刻を設定して録画を終了する。また時刻−アドレス変換テーブル１０４にＳ１０６にて書き込んだＡＶパケットのアドレスと、このＡＶパケットを含むＰＩのＯＵＴ点の時刻（録画終了時刻）を関連付けて記録する。
まだ録画予約の終了時刻に到達していなければ、ステップＳ１０８に進み、放送波の次のＡＶパケットを受信する。
【００３９】
次に、ステップＳ１０９において、本編とＣＭで異なるＰＩにするための処理を行うため、先に書き込んだＡＶパケットのＣＭ識別情報とステップＳ１０８にて受信したＡＶパケットのＣＭ識別情報が同じであるかそうでないかを判別する。ＣＭ識別情報が変化していなければ、ステップＳ１０６に戻り、ステップＳ１０８にて受信したAVパケットを記録媒体に書き込む。ＣＭ識別情報が変化していれば、ステップＳ１１０にて、最新のＰＩのＯＵＴ点に現在時刻を設定し、ステップＳ１０２に戻り、新たなＰＩを作成する。以上の処理を録画予約の終了時刻まで続けることによって、番組情報と番組構成テーブル、ＡＶクリップとＡＶクリップ情報を生成する。
【００４０】
図１０は、ステップＳ１０６におけるＡＶパケット書き込み処理の具体的処理フローを表している。図１０では、ステップＳ２０１で、受信したＡＶパケットがランダムアクセスポイントのＶパケットであるかどうかを判定する。ランダムアクセスポイントとは、ＭＰＥＧ２ビデオストリームのＧＯＰ（Ｇｒｏｕｐ  ｏｆ  Ｐｉｃｔｕｒｅｓ）の先頭のＶパケットのことである。受信したＡＶパケットがＧＯＰの先頭のＶパケットであれば、ステップＳ２０２にて、ＡＶクリップ情報１０４に現在時刻と、対応するＡＶパケットのアドレス（パケット番号）を追加してステップＳ２０３に移る。ＧＯＰの先頭のＶパケットでなければＡＶクリップ情報に追加せずにステップＳ２０３に移る。ステップＳ２０３で受信したＡＶパケットをＤＶＤ／ＢＤディスク、又は、ハードディスクに書き込み、図９のステップＳ１０７に戻る。図１０に示すフローを実行することにより、ＡＶクリップ情報が生成される。
【００４１】
次に、番組編成部９０３について説明する。番組編成部９０３は視聴者が録画番組を再生する時にＣＭの視聴頻度に基づいて本編とＣＭの再生順序を決めて番組再生パターンであるプレイリスト（ＰＬ）を作成する。
【００４２】
まず、プレイリストについて図１１を用いて説明する。プレイリストとは、録画番組を構成するプレイアイテムについてどのプレイアイテムを再生の対象とし、再生の対象としたプレイアイテムをどの順番で再生するかを決める情報であり、図１１はプレイリストの１例を表した図である。プレイリスト１０００の内容は、ある番組を構成するプレイアイテムの全部又は一部のプレイアイテム列１００１であり、番組中の本編の区間とＣＭの区間の再生順序を決定する情報である。
【００４３】
例えば、図３の番組１０１について、本来ならばＰＩ１、ＰＩ２、．．．．ＰＩ７の順序で再生をするところ、録画番組を構成するＰＩ（ＣＭ、本編）の再生順序を編集するものである。図１１は再生順序を編集したプレイリスト１０００の一例を示す図である。図１１の例ではプレイリスト１０００に含まれるプレイアイテム１００１が再生の対象となる、図の例ではプレイアイテム１００１として、ＰＩ２、ＰＩ４、ＰＩ６が順に格納されておりこれらが再生の対象であり、図１１の紙面左側に位置するＰＩから右に向かう順序で再生される。この例ではＰＩ２、ＰＩ４、ＰＩ６の順序で再生される。
【００４４】
図３に示した内容を考慮に入れると、ＰＩ２、ＰＩ４、ＰＩ６は本編の区間を指しているので、プレイリスト１０００に示す情報に従って再生をすると、録画番組に含まれるＣＭをスキップして番組の本編のみを再生する。録画番組の再生はプレイリストを用いて再生することで実行され、そのプレイリストを構成するプレイアイテムを格納する順番に従って録画された番組を再生する。
従って、一つの録画番組に対してプレイリストに格納するプレイアイテムの順序を並び替えれば、録画時とは違う順序でＣＭと本編とを再生したりすることができるばかりか、プレイリスト内にＣＭに対応するプレイリストを格納しなければ、番組の一部分だけ、例えば本編のみを再生することが可能となる。
【００４５】
次に、通常ＰＬの生成方法について図１２を参照しながら説明する。通常ＰＬとは、録画時と同じ順序で本編とＣＭの再生を行うＰＬである。まずステップＳ３０１で、新規にＰＬを作成する。ＰＬを作成した時点ではＰＬに含まれているＰＩの個数はまだ０個である。
次に、ステップＳ３０２からＳ３０４のループ処理でＰＬに格納するＰＩを追加していく。ステップＳ３０３で番組情報に含まれる最初の番号のＰＩ（この例ではＰＩ１）から順番にＰＬに追加していき、最後の番号のＰＩ（この例ではＰＩ７）をＰＬに追加するまで（つまりＰＩの個数分に相当する回数、この例では７回）繰り返すことで、通常ＰＬを作成する。
図１２に示すフローチャートを実行することにより、生成されたＰＬに基づき再生をすると、録画番組を録画したときと同じ順序でＣＭ、本編が再生されることになる。
【００４６】
次に、番組を構成するＣＭを先頭の一箇所に纏めたＰＬの生成方法について図１３を参照しながら説明する。まずステップＳ４０１で新規にＰＬを作成する。作成した時点ではＰＩの個数はまだ０個である。ステップＳ４０２からＳ４０５のループ処理でまずＣＭに相当するＰＩをＰＬに追加する。このループ処理では番組情報に含まれる最初の番号のＰＩから最後の番号のＰＩまで順番に調べていき、ステップＳ４０３でＣＭ／本編フラグがＣＭであれば、ステップＳ４０４において対応するＰＩをＰＬに追加し、ＣＭ／本編フラグが本編であればＰＬには追加せずに次の番号のＰＩについて、ステップＳ４０３の処理を行う。これを番組情報に含まれるＰＩのうち、最後の番号のＰＩに至るまで繰り返すことで、本編を視聴する前に全てのＣＭを視聴するためのＰＬが生成される。
【００４７】
その後、ステップＳ４０６からステップＳ４０９のループ処理で、本編のＰＩを追加する。このループ処理では番組情報に含まれる最初の番号のＰＩから順番に調べていき、ステップＳ４０７でＣＭ／本編フラグが本編であればステップＳ４０８でＰＬに追加し、ＣＭであればＰＬには追加せずに次の番号のＰＩについて、ステップＳ４０７の処理を行う。これを番組情報に含まれるＰＩのうち、最後の番号のＰＩに至るまで繰り返すことで、本編の再生区間を追加したＰＬを生成する。
【００４８】
図１３に示すフローチャートを実行することにより、生成されたＰＬに基づき再生をすると、録画番組に含まれる全てのＣＭがまず再生され、その後に本編が再生されることになる。従って、本来ならば本編の合間に流されるＣＭも、本編の前に再生されることになり、視聴者は本編の合間に流れるＣＭに興ざめするといったことがなくなる。
【００４９】
次に、ＣＭを先頭に纏める時に、ＣＭ視聴情報に基づき既に視聴済みのＣＭは含まないＰＬの生成方法について図１４を参照しながら説明する。
まずステップＳ５０１で新規にＰＬを作成する。作成した時点ではＰＩの個数はまだ０個である。ステップＳ５０２からステップＳ５０６のループ処理で、まずＣＭ区間のＰＩをＰＬに追加する。このループ処理では番組情報に含まれる最初の番号のＰＩから順番に調べていき、ステップＳ５０３でＣＭ／本編フラグがＣＭであればステップＳ５０４の処理へ移る。本編であればＰＬには追加せずに次の番号のＰＩについて、ステップＳ５０３の処理を行う。
【００５０】
次に、ステップＳ５０４において、処理の対処となっているＰＩに対応するＣＭの視聴フラグを参照して未視聴か既に視聴済かを判定する。未視聴であればステップＳ５０５でＰＬに追加し、既に視聴済であればＰＬには追加せずに次の番号のＰＩについて、ステップＳ５０３の処理を行う。
これを番組情報に含まれるＰＩのうち、最後の番号のＰＩに至るまで繰り返すことで、まず、未視聴のＣＭのみがＰＬに含まれるようになる。
【００５１】
その後、ステップＳ５０７からステップＳ５１０のループ処理で、本編のＰＩを追加する。このループ処理では番組情報のＰＩの先頭から順番に調べていき、ステップＳ５０８でＣＭ／本編フラグが本編であればステップＳ５０９でＰＬに追加し、ＣＭであればＰＬには追加せずに次のＰＩの調査へ移る。これを番組情報に含まれるＰＩのうち、最後の番号のＰＩに至るまで繰り返すことで、本編に対応するＰＩがＰＬに追加される。以上の処理で、未視聴のＣＭに対応するＰＩのみを先頭に纏め、その後に本編に対応するＰＩのみの区間が存在するＰＬを生成する。
【００５２】
図１４に示すフローチャートを実行することにより、生成されたＰＬに基づき再生をすると、未視聴のＣＭがまず再生され、その後に本編が再生されることになる。従って、視聴者は視聴済みのＣＭを必要以上に視聴することなく、かつ本編の合間に流れるＣＭに興ざめするといったことがなくなる。
【００５３】
次に、再生部９０５とＣＭ再生監視部９０６について説明する。再生部９０５はプレイリストを再生し、ＣＭ再生監視部９０６はプレイリストの再生中にＣＭ部分をスキップや早送りしたのか通常再生したのかを監視し、番組情報に含まれる番組構成テーブルに格納されるＰＩ（特にＣＭに対応するＰＩ）の視聴フラグを更新するものである。
【００５４】
再生部９０５について図１５〜図１８を参照しながら説明する。
図１５は番組再生処理のフローチャートである。リモコン８０３からＰＬ再生メニューを表示するためのボタンを操作すると、これを受けた録画再生装置８０２は、ＰＬ再生メニューを呼び出す。ステップＳ８０２により、処理対象となる記録媒体に録画された録画番組の番組情報を用いて、番組情報、再生可能なＰＬを表示するための信号を出力する。このとき、記録媒体に記録された番組情報の個数（つまり録画番組の個数）分についてステップＳ８０２処理が行われるようにループ処理（つまりステップＳ８０１、Ｓ８０３）が施されている。
【００５５】
番組情報、再生可能なＰＬを表示するための信号を受けたテレビ８０１は表示画面に番組情報、再生可能なＰＬを表示する。この信号をテレビ８０１に対して送出するタイミングは、ステップＳ８０２が完了する毎に送出するのでも良いし、記録媒体に録画された全ての番組に対してステップＳ８０２の処理を行った後、つまりステップＳ８０１〜ステップＳ８０３のループ処理を抜けた後に送出するようにしても良い。
【００５６】
次に、テレビ８０１の表示画面に表示された後、視聴者からの更なる入力を待つ。視聴者からの入力は、例えばリモコン８０３、または録画再生装置に設けた入力手段（図示せず）よりなされる。
ステップＳ８０４でリモコン８０３の戻りキー（この場合、戻りキーがＰＬ再生の中止を指示するものとする）が押されれば、表示した番組情報とＰＬをテレビ８０１の表示画面から消去し、この画面を表示する１つ前の画面を表示する。
【００５７】
ステップＳ８０４で戻りキーが押されていない場合はステップＳ８０５へ移り、矢印キーでのＰＬ選択及び決定キーでのＰＬ再生開始を監視する。矢印キーも決定キーも押されていなければ、再びステップＳ８０４へ戻り、戻りキーの入力があるかどうかを調べるが、矢印キーの上方向キーが押されれば、画面上で１つ上にあるＰＬを選択し、下方向キーが押されれば、画面上で１つ下にあるＰＬを選択し、決定キーが押されれば、ステップＳ８０６に移り、選択しているＰＬの再生を開始する。ＰＬの再生は後述する。
【００５８】
図１６は図１５に示すフローチャートを用いて録画番組に対するプレイリストを表示した表示画面の一例を示すものであり、ここでは記録媒体に録画された番組が図３に示す番組である場合の表示画面の一例を示すものである。
図１６には、図３に示した録画番組の番組名「番組１」、録画日時、録画チャンネルを示す番組情報１９０１、通常ＰＬ１９０２、ＣＭを先頭に纏めたＰＬ１９０３、視聴済みＣＭをスキップして再生するＰＬ１９０４がテレビ８０１の表示画面に表示されている。
視聴者はリモコン８０３の矢印キーの操作により、ＰＬ１、ＰＬ２、ＰＬ３の中から視聴形態を選択できるようになっており、選択した状態でリモコン８０３の決定キーを押すと、録画再生装置８０２はリモコン８０３からの信号を受け、選択したＰＬを用いた番組１の再生を行う。但し図１６において、ＰＬ３は視聴者が図３に示す録画番組において、ＣＭ１、ＣＭ２を視聴した結果、作成されるものであり、少なくとも図３に示す録画番組を始めて視聴する場合には表示はなされない。
【００５９】
図１７は図１５のステップＳ８０２のより具体的な処理内容を説明する図である。
まず、ステップＳ９０１において、記録媒体に録画された番組情報１９０１を表示するための処理を行う。
次に、ステップＳ９０２において、番組情報を用いて、図１２に示した通常ＰＬ生成処理を行い、通常ＰＬ１９０２の生成と表示をするための処理を行う。
次に、ステップＳ９０３において、番組情報を用いて、図１３に示したＣＭ区間を先頭に纏めたＰＬの生成処理を行い、ＣＭ区間を先頭に纏めたＰＬ１９０３の生成と表示をするための処理を行う。
【００６０】
次に、ステップＳ９０４において、番組情報を用いて、図１４に示した、ＣＭ視聴情報に基づいたＰＬを生成するための処理を行う。
次に、ステップＳ９０５において、Ｓ９０３で生成したＰＬとＳ９０４で生成したＰＬを比較して同じ内容のＰＬであるかどうかを判定する。同じＰＬであれば、Ｓ９０４で生成したＰＬは既にＳ９０３で生成したＰＬと同じであり、テレビ画面には既に表示されているから、Ｓ９０４で生成したＰＬはテレビ画面には表示せずともよく、次の番組情報とＰＬ表示へ移る。
ステップＳ９０５で、ステップＳ９０３とステップＳ９０４で生成したＰＬの内容が異なるＰＬであればステップＳ９０６で視聴済ＣＭを除いたＰＬ１９０４の表示を行う。
上述のような処理を行うことにより、例えば録画番組を初めてみるような場合、または録画番組内のＣＭを全く視聴していない場合、図１２、図１３で説明をしたＰＬのみを画面に表示することが可能となる。
【００６１】
図１８〜図１９は、ステップＳ８０６のＰＬ再生処理のより具体的な処理を説明するための図である。
ＰＬの再生とはＰＬに格納されているＰＩを先頭から順に再生する処理である。図１６に示すＰＬ２を選択し、ＰＬ再生を指示した場合、ＣＭ１、ＣＭ２、．．．、ＣＭ４、本編１、本編２、本編３が順に再生されることになる。
図１８は上述の処理を実現するための一例を説明するフローチャートであり、ステップＳ６０２で対象となるＰＬ中のＰＩを再生する処理を行うとともに、このステップＳ６０２は繰り返して行うことが可能となるようなループ処理（つまりステップＳ６０１、Ｓ６０３）を施すことにより上述の処理が可能となる。
【００６２】
繰り返す回数は選択したＰＬに格納されたＰＩの個数分である。例えばまず再生する対象であるＰＬの先頭に格納したＰＩを再生するとともに、このＰＩの再生が終了すれば、その次に格納するＰＩを再生するといったように処理を行えば、ＰＬに格納された先頭のＰＩから順に再生がなされていくことになる。
また、ステップＳ６０２について、ＰＩの再生中に所定の条件を満足すれば、番組情報内の番組構成テーブルにおける視聴フラグの更新を行う。例えば、ＣＭ再生監視部９０６はこのＰＩ再生処理の中で、ＣＭに対応するＰＩをＩＮ点からＯＵＴ点まで通常再生すればＣＭ視聴フラグを視聴済に更新し、スキップ、停止、早送り等の操作でＩＮ点からＯＵＴ点までの区間を通常再生しなければ、ＣＭ視聴フラグは更新せず、未視聴のままにしておく。
このようにすることにより、ＣＭの視聴に応じて視聴フラグを更新できるようになり、以後の録画番組の視聴において、視聴済みのＣＭを削除したＰＬの作成が可能となる。
【００６３】
図１９はＰＩの再生処理における具体的な処理の一例を説明するための図である。
次に、ＣＭ再生監視部９０６がどのように視聴監視を行うかについて図１９を使って説明すると、まず、ステップＳ７０１で「通常再生フラグ」を１に初期化する。
次にステップＳ７０２で再生の対象となるＰＩのＩＮ点から再生を開始する。再生を開始すると、ステップＳ７０３、Ｓ７０４、Ｓ７０５で視聴者からの入力を監視する。
具体的には、ステップＳ７０３において、スキップ操作の入力の有無を調べ、スキップ操作が入力されれば次のＰＩの再生へ移る。この時、ＣＭ視聴フラグは更新されないまま次のＰＩへ移る。
次に、ステップＳ７０４において、停止操作の入力の有無を調べ、停止操作が入力されればＰＬの再生を終了する。この時も、ＣＭ視聴フラグは更新されずにＰＩの再生は終了する。
【００６４】
次に、ステップＳ７０５において、早送り操作の入力の有無を調べ、早送り操作が入力された場合、ステップＳ７０６に移り、入力がなければステップＳ７０８に移る。ステップＳ７０６は早送り再生を指示された時の処理であり、その処理は「通常再生フラグ」を０に設定変更し、早送り再生を実行する。ステップＳ７０５において、早送り再生が指示されなければステップＳ７０８に移る。ことのとき、「通常再生フラグ」は１のままであり、０になることはない。
ステップＳ７０８において、再生地点の時刻が再生の対象となるＰＩのＯＵＴ点まで到達したかどうかを判定し、まだＯＵＴ点まで到達していなければ、ステップＳ７０３に戻り、再びリモコン操作でスキップ操作、停止操作、早送り操作の入力を監視する。
【００６５】
ステップＳ７０８において、再生地点の時刻が再生の対象となるＰＩのＯＵＴ点まで到達したと判定した場合、ステップＳ７１０へ移る。
ステップＳ７１０で「通常再生フラグ」が１のままであるかどうかを調べ、１であった場合は、視聴フラグを視聴済に更新して再生の対象となるＰＩの再生を終了する。
「通常再生フラグ」が０になっていた場合は、ステップＳ７０５において途中で早送り操作をしたと判定したのであるから、視聴フラグは更新されないまま、再生の対象となるＰＩの再生を終了する。
その後、図１８に示すループ処理Ｓ６０１〜Ｓ６０３によって、次に再生すべきＰＩがあれば次のＰＩの再生の処理を行うため、次のＰＩについてステップＳ７０１からの処理を行う。
【００６６】
次に、表示部９０４について説明する。表示部９０４は録画済の番組情報とこの番組情報に対応するプレイリストを番組編成部９０３で生成し、これらをＧＵＩとしてテレビ画面に表示するための信号をテレビ８０１へ出力し、テレビ８０１は受け取った信号に基づいてＧＵＩを表示画面に表示する。
図１６はＰＬ再生を行う場合にテレビ８０１に表示される表示画面の一例である。図１６に示すような表示画面は例えば、リモコン８０３のメニューキーを押すことで録画済番組の情報１９０１と、対応する録画済番組における再生可能なプレイリスト１９０２〜１９０４を表示している。
録画済番組の情報１９０１は対応する録画済番組の番組情報に含まれる番組名、録画日時、録画チャンネルを表示している。プレイリスト１９０２〜１９０４は対応する録画済番組に対する再生可能なプレイリストを表示しており、リモコン８０３の矢印キーでいずれか一つを選択することができる。プレイリストをＧＵＩで選択しリモコン８０３の決定キーを押すと選択したプレイリストの再生を開始する。
【００６７】
次に、番組録画後の再生時に表示部９０４がＣＭ視聴情報に基づいて具体的にどのようなプレイリストを表示するかを図２０〜図２２を用いて説明する。
図２０は、図３に示す番組１を録画後初めてＰＬ再生を行う場合に表示されるＰＬである。テレビ８０１の表示画面には通常ＰＬ１１０１と、ＣＭを先頭に纏めたＰＬ１１０２の２つが表示されている。この表示は例えば、図１５に示すフローチャート（特にステップＳ８０２）より詳しくは、図１７のフローチャート（特にステップＳ９０２〜ステップＳ９０６）を実行することにより表示がなされる。
通常ＰＬ１１０１は図１７のステップＳ９０２によって生成されたプレイリストである。ＣＭを先頭に纏めたＰＬ１１０２は図１７のステップＳ９０３によって生成されたプレイリストである。図１７のステップＳ９０４により視聴済みＣＭを除いたＰＬについては、視聴済ＣＭがないため１１０２と同じプレイリストになり、図１７のステップＳ９０５の処理によって画面には表示されず、その結果、図２０に示すように通常ＰＬとＣＭを先頭に纏めたＰＬの２つが表示されている。
【００６８】
図２１は、図３の番組１を録画し、一部のＣＭを視聴した後、図１５、１７で説明をしたＰＬ表示の処理を行ったときにテレビ８０１の表示画面に表示されるＰＬである。
このとき、視聴したＣＭがＣＭ１、ＣＭ２であり、未視聴ＣＭがＣＭ３、ＣＭ４であるとする。この場合、通常ＰＬ１２０１、ＣＭを先頭に纏めたＰＬ１２０２、ＣＭ視聴情報に基づいたＰＬ１２０３の３つのＰＬが表示されている。１２０１と１２０２については図１７のステップＳ９０２、Ｓ９０３で生成されたプレイリストである。
図１７のステップＳ９０４で生成したプレイリストは図１４に示したフローチャートに従って生成された視聴済みＣＭを除いたプレイリストであり、ＣＭ１、ＣＭ２が視聴済みであるため、これらが生成されるプレイリストに含まれておらず、図１７に示すステップＳ９０５によりＰＬ１２０２とは異なるプレイリストと判断され、ステップＳ９０６により表示の処理がなされた結果、図２１のＰＬ１２０３として表示されている。
【００６９】
図２２は、図３の番組１を録画し、全てのＣＭを視聴した後、図１５、１７で説明をしたＰＬ表示の処理を行ったときにテレビ８０１の表示画面に表示されるＰＬである。
この場合、通常ＰＬ１３０１、ＣＭを先頭に纏めたＰＬ１３０２、ＣＭ視聴情報に基づいたＰＬ１３０３の３つのＰＬが表示されている。ＣＭ視聴情報に基づいたＰＬ１３０３には全てのＣＭを視聴済みであることからＣＭは入っておらず、本編のみ再生するＰＬである。
【００７０】
上記のようにＣＭ視聴情報に基づき様々なプレイリストを生成することで、一度視聴したＣＭは見ずに本編を視聴することができるようになるので視聴者の利便性は上がり、スポンサーにとってはＣＭを視聴しないと本編のみの再生という選択はできないので納得性があがる。
【産業上の利用可能性】
【００７１】
本発明は、録画番組を後から視聴するタイムシフト再生時において、ＣＭを含む録画番組を視聴する視聴者、この番組を提供するスポンサーの双方にとって納得性の高い視聴形態を提供する番組の録画再生装置、録画再生方法、録画再生プログラム、録画再生プログラムを記録したコンピュータ読み取り可能な記録媒体などに有用である。
【図面の簡単な説明】
【００７２】
【図１】本実施の形態の録画再生装置を用いて構成したホームシアターシステムを説明する図である
【図２】本実施の形態の録画再生装置の構成図である
【図３】本実施の形態の録画再生装置に録画される録画番組の構造を表す図である
【図４】ＡＶクリップの構造を表した図である
【図５】ＡＶクリップ情報を表した図である
【図６】ＡＶクリップ情報がＡＶクリップ上のアドレスを示していることを具体的に示す図である
【図７】本実施の形態の録画再生装置で生成される録画番組情報を表す図である
【図８】本実施の形態の録画再生装置で生成される録画番組の番組構成テーブルを表す図である
【図９】本実施の形態の録画再生装置において、録画時における番組情報の生成処理のフローチャートである
【図１０】録画時におけるＡＶパケット書き込み処理のフローチャートである
【図１１】プレイリストを模式的に表した図である
【図１２】通常ＰＬ生成処理のフローチャートである
【図１３】ＣＭをＰＬ先頭にまとめたＰＬ生成処理のフローチャートである
【図１４】ＣＭをＰＬ先頭にまとめて、かつ、視聴済みのＣＭを除いたＰＬ作成処理のフローチャートである
【図１５】番組再生処理のフローチャートである
【図１６】番組再生時のＰＬ選択画面表示の１例である
【図１７】番組情報表示と再生可能なＰＬの作成・表示処理のフローチャートである
【図１８】ＰＬ再生処理のフローチャートである
【図１９】ＰＩ再生処理のフローチャートである
【図２０】番組録画後初めてＰＬ再生を行う場合に表示されるＰＬの１例である
【図２１】番組録画後、一部のＣＭを視聴した後で表示されるＰＬの１例である
【図２２】番組録画後、全てのＣＭを視聴した後で表示されるＰＬの１例である
【符号の説明】
【００７３】
１０１    番組
１０２    番組を構成する本編とＣＭ
１０３    番組を構成するＰＩ
１０４    ＡＶクリップ情報
１０４ａ  時刻−アドレス変換テーブルの時刻部分
１０４ｂ  時刻−アドレス変換テーブルのアドレス部分
１０５    ＡＶクリップ
２０１    ビデオストリーム
２０２    ビデオストリームをＰＥＳ＿ｐａｃｋｅｔ化したもの
２０３    ビデオＰＥＳ＿ｐａｃｋｅｔをＴＳ＿ｐａｃｋｅｔ化したもの
２０５    オーディオＰＥＳ＿ｐａｃｋｅｔをＴＳ＿ｐａｃｋｅｔ化したもの
２０６    オーディオストリームをＰＥＳ＿ｐａｃｋｅｔ化したもの
２０７    オーディオストリーム
７０１    番組名
７０２    録画日時
７０３    録画チャンネル
７０４    番組構成テーブル
７０４ａ  プレイアイテム（ＰＩ）番号
７０４ｂ  ＣＭ／本編フラグ
７０４ｃ  視聴フラグ
８０１    テレビ
８０２    録画再生装置
８０３    リモコン
８０４    ＤＶＤ又はＢＤ−ＲＯＭディスク
９０１    チューナ
９０２    番組構成抽出部
９０３    番組編成部
９０４    表示部
９０５    再生部
９０６    ＣＭ再生監視部
９０８    ＤＶＤ／ＢＤドライブ
９０９    ハードディスクドライブ
９１０    ＭＰＥＧデコーダ
９１２    信号合成部
１０００    プレイリスト（ＰＬ）
１００１    プレイアイテム（ＰＩ）
１１０１    通常ＰＬ
１１０２    ＣＭをＰＬ先頭にまとめたＰＬ
１２０１    通常ＰＬ
１２０２    ＣＭをＰＬ先頭にまとめたＰＬ
１２０３    ＣＭをＰＬ先頭にまとめ、且つ、視聴済みＣＭは再生しないＰＬ
１３０１    通常ＰＬ
１３０２    ＣＭをＰＬ先頭にまとめたＰＬ
１３０３    本編のみを再生するＰＬ
１９０１    番組情報
１９０２    通常ＰＬ
１９０３    ＣＭをＰＬ先頭にまとめたＰＬ
１９０４    ＣＭをＰＬ先頭にまとめ、且つ、視聴済みＣＭは再生しないＰＬ
【図１】
2007266677.tif 000003
【図２】
2007266677.tif 000004
【図３】
2007266677.tif 000005
【図４】
2007266677.tif 000006
【図５】
2007266677.tif 000007
【図６】
2007266677.tif 000008
【図７】
2007266677.tif 000009
【図８】
2007266677.tif 000010
【図９】
2007266677.tif 000011
【図１０】
2007266677.tif 000012
【図１１】
2007266677.tif 000013
【図１２】
2007266677.tif 000014
【図１３】
2007266677.tif 000015
【図１４】
2007266677.tif 000016
【図１５】
2007266677.tif 000017
【図１６】
2007266677.tif 000018
【図１７】
2007266677.tif 000019
【図１８】
2007266677.tif 000020
【図１９】
2007266677.tif 000021
【図２０】
2007266677.tif 000022
【図２１】
2007266677.tif 000023
【図２２】
2007266677.tif 000024